(57)【要約】【課題】優れた操作性を具備する吐出容器を提供する。【解決手段】吐出容器１は、容器本体２と、装着キャップ３と、ポンプ５と、ステム４に装着された押下ヘッド７と、下降端位置に位置する押下ヘッド７が螺着され、押下ヘッド７及びステム４の上方移動を規制する規制筒３１と、を備える。押下ヘッド７は、規制筒３１に螺着される下側ヘッド筒６０と、内側に下側ヘッド筒６０が配設された上側ヘッド筒６９と、を備える。下側ヘッド筒６０および上側ヘッド筒６９には、下側ヘッド筒６０及び上側ヘッド筒６９の、周方向の相対的な回転移動を規制するスリット６５及び連結部７４が形成されている。下側ヘッド筒６０の周壁部６１には、下方に向けて突出する上側ピルファープルーフ部６６が破断可能な弱化部６７を介して連結されている。上側ピルファープルーフ部６６には、規制筒３１に係合することで、上方に向けた移動が規制された係合部６６ａが形成されている。【選択図】図１
2018052595.tif 000002
【特許請求の範囲】
【請求項１】
内容物が収容される容器本体と、
前記容器本体の口部に装着される装着キャップと、
前記装着キャップの内側に、上方付勢状態で下方移動可能に支持されたステムを有するポンプと、
前記ステムの上端に装着され、内容物の吐出孔が形成された有頂筒状の押下ヘッドと、
下降端位置に位置する前記押下ヘッドが螺着され、前記押下ヘッド及び前記ステムの上方移動を規制する規制筒と、を備える吐出容器であって、
前記押下ヘッドは、前記規制筒に螺着される下側ヘッド筒と、前記吐出孔が形成されると共に内側に前記下側ヘッド筒が配設された上側ヘッド筒と、を備え、
前記下側ヘッド筒および前記上側ヘッド筒には、前記下側ヘッド筒及び前記上側ヘッド筒の、前記ステムの中心軸線回りに沿う周方向の相対的な回転移動を規制する規制部が各別に形成され、
前記下側ヘッド筒の周壁部には、下方に向けて突出するピルファープルーフ部が破断可能な弱化部を介して連結され、
前記ピルファープルーフ部には、前記容器本体、前記装着キャップおよび前記規制筒のうちいずれか１つに係合することで、上方に向けた移動が規制された係合部が形成されている、
ことを特徴とする吐出容器。
【請求項２】
前記ピルファープルーフ部には、前記周方向の延在を分断する間欠部が形成されている、
ことを特徴とする請求項１に記載の吐出容器。
【請求項３】
前記ピルファープルーフ部の少なくとも一部が、前記上側ヘッド筒から下方に突出している、
ことを特徴とする請求項１または２に記載の吐出容器。
【請求項４】
前記弱化部は、前記上側ヘッド筒の下端開口縁より上方に位置している、
ことを特徴とする請求項１から３のいずれか１項に記載の吐出容器。
【発明の詳細な説明】
【技術分野】
【０００１】
本発明は、吐出容器に関するものである。
【背景技術】
【０００２】
従来、内容物が収容される容器本体と、容器本体の口部に装着される有頂筒状の装着キャップと、装着キャップに上方付勢状態で下方移動可能に貫設されたステムを有するポンプと、ステムの上端に装着されるとともに、吐出孔が形成された押下ヘッドと、下降端位置に位置する押下ヘッドが螺着され、押下ヘッドおよびステムの上方移動を規制する規制筒と、を備えた吐出容器が知られている。
【０００３】
この種の吐出容器では、未使用時において意図的または不意に加えられた外力によって内容物が吐出されてしまうことを防止するために、例えば下記特許文献１に示されるような、下降端位置に位置する押下ヘッドを覆うカバー筒を備える構成が知られている。この吐出容器では、カバー筒に弱化部によって除去帯が区画されていて、弱化部を破断し除去帯を除去することで、カバー筒のうち押下ヘッドを覆う上側部分を除去することができる。そしてカバー筒の上側部分を除去することで、押下ヘッドを規制筒に対して緩み方向に回転移動させることができる。
【先行技術文献】
【特許文献】
【０００４】
【特許文献１】特開２００６−８９１１０号公報
【発明の概要】
【発明が解決しようとする課題】
【０００５】
しかしながら、前記従来の吐出容器では、押下ヘッドと規制筒との螺着の解除に際し、予め弱化部を破断してカバー筒の上側部分を除去する必要があり、内容物を吐出可能な状態へ移行する際の操作性に改善の余地があった。
【０００６】
そこで本発明は、前述した事情に鑑みてなされたものであって、優れた操作性を具備する吐出容器を提供するものである。
【課題を解決するための手段】
【０００７】
本発明の吐出容器は、内容物が収容される容器本体と、前記容器本体の口部に装着される装着キャップと、前記装着キャップの内側に、上方付勢状態で下方移動可能に支持されたステムを有するポンプと、前記ステムの上端に装着され、内容物の吐出孔が形成された有頂筒状の押下ヘッドと、下降端位置に位置する前記押下ヘッドが螺着され、前記押下ヘッド及び前記ステムの上方移動を規制する規制筒と、を備える吐出容器であって、前記押下ヘッドは、前記規制筒に螺着される下側ヘッド筒と、前記吐出孔が形成されると共に内側に前記下側ヘッド筒が配設された上側ヘッド筒と、を備え、前記下側ヘッド筒および前記上側ヘッド筒には、前記下側ヘッド筒及び前記上側ヘッド筒の、前記ステムの中心軸線回りに沿う周方向の相対的な回転移動を規制する規制部が各別に形成され、前記下側ヘッド筒の周壁部には、下方に向けて突出するピルファープルーフ部が破断可能な弱化部を介して連結され、前記ピルファープルーフ部には、前記容器本体、前記装着キャップおよび前記規制筒のうちいずれか１つに係合することで、上方に向けた移動が規制された係合部が形成されている、ことを特徴とする。
【０００８】
本発明によれば、下側ヘッド筒と規制筒との螺着を解除させるように、押下ヘッドを規制筒に対して緩み方向に回転させると、下側ヘッド筒が規制筒に対して上方移動する。下側ヘッド筒の周壁部には、装着キャップおよび規制筒のうちいずれか１つに係合することで上方移動が規制された係合部が形成されたピルファープルーフ部が、破断可能な弱化部を介して連結されている。このため、下側ヘッド筒が上方移動することにより、弱化部が破断してピルファープルーフ部が周壁部から分離する。その後引き続き、押下ヘッドを規制筒に対して緩み方向に回転させることで、押下ヘッドの規制筒に対する螺着が解除され、押下ヘッドおよびステムを上昇させることができる。
以上により、押下ヘッドの規制筒に対する回転操作だけで弱化部を破断して、押下ヘッドと規制筒との螺着を解除することが可能になり、優れた操作性を具備させることができる。
しかも、弱化部を破断することで、ピルファープルーフ部が押下ヘッドから落下することとなり、押下ヘッドと規制筒との螺着が解除されたことがあるか否かを視認により容易に判別することができる。
【０００９】
上記の吐出容器において、前記ピルファープルーフ部には、前記周方向の延在を分断する間欠部が形成されていてもよい。
【００１０】
本発明によれば、ピルファープルーフ部には、周方向の延在を分断する間欠部が形成されているので、弱化部を破断したときに、ピルファープルーフ部を押下ヘッドから確実に落下させることができる。また、落下したピルファープルーフ部を吐出容器から容易に除去することが可能となる。
【００１１】
上記の吐出容器において、前記ピルファープルーフ部の少なくとも一部が、前記上側ヘッド筒から下方に突出していてもよい。
【００１２】
本発明によれば、ピルファープルーフ部が上側ヘッド筒の外側から視認可能に設けられるので、ピルファープルーフ部の押下ヘッドからの落下の前後で吐出容器の見た目を異ならせることが可能になり、押下ヘッドと規制筒との螺着が解除されたことがあるか否かの判別をより確実に行うことができる。
【００１３】
上記の吐出容器において、前記弱化部は、前記上側ヘッド筒の下端開口縁より上方に位置していてもよい。
【００１４】
本発明によれば、破断後の弱化部を上側ヘッド筒により覆わせることが可能になり、押下ヘッドと規制筒との螺着が解除された後の見栄えの悪化、及び破断後の弱化部に使用者が接触することを防止することができる。
【発明の効果】
【００１５】
本発明によれば、押下ヘッドの規制筒に対する回転操作だけで弱化部を破断して、押下ヘッドと規制筒との螺着を解除することが可能になり、優れた操作性を具備させることができる。
【図面の簡単な説明】
【００１６】
【図１】第１実施形態の吐出容器の半断面図である。
【図２】第１実施形態の吐出容器の半断面図である。
【図３】第２実施形態の吐出容器の半断面図である。
【図４】第２実施形態の変形例の下側ヘッド筒および上側ピルファープルーフ部の平面図である。
【発明を実施するための形態】
【００１７】
（第１実施形態）
以下、本発明に係る第１実施形態の吐出容器１について図面を参照して説明する。
図１に示すように、本実施形態の吐出容器１は、内容物が収容される有底筒状の容器本体２と、容器本体２の口部２ａに装着される筒状の装着キャップ３と、装着キャップ３の内側に、上方付勢状態で下方移動可能に支持されたステム４を有するポンプ５と、ステム４の上端部に装着されると共に、内容物を吐出する吐出孔６が形成された押下ヘッド７と、下降端位置Ｐ１に位置する押下ヘッド７が螺着され、下降端位置Ｐ１に位置する押下ヘッド７及びステム４の上方移動を規制する規制筒３１と、を備えている。
【００１８】
ステム４及び押下ヘッド７は、未使用時等の段階では、図１に示すように下降端位置Ｐ１に位置していると共に、押下ヘッド７が後述する規制筒３１に螺着によって保持されることで上昇移動が規制された状態とされている。一方、使用段階では、図２に示すように押下ヘッド７はステム４と共に上昇端位置Ｐ２に位置して、押下のための待機状態に移行する。
【００１９】
なお、容器本体２、装着キャップ３及びステム４は、それぞれの中心軸が共通軸上に位置された状態で配設されている。本実施形態ではこの共通軸を容器軸Ｏといい、容器軸Ｏに沿った押下ヘッド７側を上側、容器本体２の底部側を下側という。また、容器軸Ｏ方向から見た平面視において、容器軸Ｏに直交する方向を径方向といい、容器軸Ｏ回りに周回する方向を周方向という。
【００２０】
図１に示すように、ポンプ５は、ステム４と、容器本体２の口部２ａ内に挿入された状態で装着キャップ３によって保持され、ステム４が上方に向けて立設されたシリンダ２０と、ステム４の上下動に連係すると共にシリンダ２０内に上下摺動可能に嵌合された図示しないピストンと、を備えている。
【００２１】
シリンダ２０は、容器軸Ｏと同軸に配置されている。シリンダ２０の上端部には、径方向外側に向けて突出するフランジ部２１がシリンダ２０の全周に亘って環状に形成されている。フランジ部２１は、容器本体２の口部２ａの上端開口縁上にパッキン２２を介して配置されている。これにより、シリンダ２０は容器本体２の口部２ａ内に挿入された状態で支持されている。
【００２２】
さらにシリンダ２０には、フランジ部２１の内周縁部から上方に向けて延びると共に容器軸Ｏと同軸に配置された突出筒部２３が形成されていると共に、フランジ部２１よりも下方に位置する部分に容器本体２内とシリンダ２０内とを連通する空気孔２４が形成されている。シリンダ２０内には、シリンダ２０の下端開口を開閉する図示しない弁部材、及びステム４を上方に向けて付勢する図示しないコイルばね（付勢手段）が配設されている。
【００２３】
弁部材は、シリンダ２０内の加圧時に、シリンダ２０の下端開口を閉塞した状態に維持し、且つシリンダ２０内の減圧時に、シリンダ２０の下端開口を開放する逆止弁とされている。これにより、シリンダ２０内の加圧時に、シリンダ２０内の内容物がシリンダ２０の下端開口を通じて容器本体２内に戻ることが規制され、且つシリンダ２０内の減圧時に、容器本体２内の内容物がシリンダ２０の下端開口を通じてシリンダ２０内に流入することを許容している。
【００２４】
ピストンは、シリンダ２０の内周面に密に摺接され、ステム４に伴ってシリンダ２０内を上下動する。上述したコイルばねは、例えばピストンと弁部材との間に配設され、ピストンを介してステム４を上方に付勢している。シリンダ２０内におけるステム４上には、ステム４とシリンダ２０との間に画成され、空気孔２４に連通する環状空間が形成されている。
【００２５】
さらに、本実施形態のポンプ５は、押下ヘッド７が下降端位置Ｐ１に位置しているときに、シリンダ２０の空気孔２４を閉塞するシール筒３２を備えている。
シール筒３２は、規制筒３１の内筒５１の内側に配設されている。シール筒３２の下端部には、シリンダ２０内に摺動可能に嵌合された図示しない閉塞筒部が形成されている。
閉塞筒部は、押下ヘッド７及びステム４が下降端位置Ｐ１に位置して、押下ヘッド７が規制筒３１に螺着された際、空気孔２４を閉塞する。なお、押下ヘッド７及びステム４が上昇端位置Ｐ２に位置した場合には、例えば閉塞筒部はピストンによって下方から押し上げられて空気孔２４を開放する。
【００２６】
なお、ステム４はシール筒３２の内側に上下動可能に配設されている。ステム４の外周面とシール筒３２の内周面との間には、外部と上述した環状空間とを連通する環状の連通路が画成されている。なお、シール筒３２は必須なものではなく具備しなくても構わない。
【００２７】
装着キャップ３は、環状の天壁部３ａを有する有頂筒状に形成され、容器本体２の口部２ａに螺着されている。天壁部３ａは、シリンダ２０のフランジ部２１上に配置されている。なお、天壁部３ａの内側には、シリンダ２０のうちフランジ部２１より上方に位置する突出筒部２３が、天壁部３ａの内周縁に対して隙間をあけた状態で挿通されている。
【００２８】
装着キャップ３の周壁部の下端縁には、環状の下側ピルファープルーフ部１３が連設されている。装着キャップ３の周壁部の下端縁と下側ピルファープルーフ部１３の上端縁とは、破断可能な容易破断部１５を介して連結されている。容易破断部１５は、周方向に間隔をあけて複数配置されている。なお、容易破断部１５を全周に亘って連続して延びる薄肉部等で形成してもよい。下側ピルファープルーフ部１３の内周面には、径方向の内側に向かうに従い漸次上方に向けて延びる爪部１４が周方向に間隔をあけて複数形成されている。爪部１４の上端縁は、容器本体２の口部２ａに形成された突起２ｂにこの突起２ｂの下方から係合している。
【００２９】
規制筒３１は、シリンダ２０の突出筒部２３に外嵌（例えばアンダーカット嵌合）された外筒５０と、突出筒部２３の内側に配置された内筒５１と、外筒５０を径方向外側から囲繞する外郭筒５２と、外郭筒５２の上端部及び外筒５０の上端部を径方向に接続すると共に、その内周縁部が内筒５１に接続された環状の連結板５３と、連結板５３の外周縁部から外郭筒５２よりも径方向外側に張り出す張出部５７と、を備えている。
【００３０】
内筒５１は、突出筒部２３よりも上方に突出するように形成され、その下端部はシリンダ２０の上端部の内側に嵌合されている。内筒５１の外周面のうち連結板５３よりも下方に位置する部分の外周面、及び突出筒部２３の内周面には、互いに周方向に係合し合う縦長の回り止めリブ５４，５５が各別に形成されている。内筒５１の外周面のうち連結板５３よりも上方に位置する部分には、下降端位置Ｐ１に位置する押下ヘッド７が螺着される雄ネジ部５６が形成されている。
【００３１】
外郭筒５２は、装着キャップ３の周壁部よりも内径および外径が小さい円筒状に形成されていると共に、連結板５３の外周縁部から装着キャップ３の天壁部３ａに達しない程度の長さで下方に延びている。これにより、外郭筒５２の下端開口縁と天壁部３ａの上面との間には、容器軸Ｏ方向に隙間が確保されている。
張出部５７は、周方向に沿って全周に亘って延びている。張出部５７の上面は、連結板５３の上面と面一になっている。
【００３２】
押下ヘッド７は、規制筒３１に螺着される下側ヘッド筒６０と、吐出孔６が形成されると共に内側に下側ヘッド筒６０は配設された上側ヘッド筒６９と、を備え、下側ヘッド筒６０及び上側ヘッド筒６９が一体的に組み合わされることで構成されている。
【００３３】
下側ヘッド筒６０は、周壁部６１及び環状の頂壁部６２を有する有頂筒状に形成されている。周壁部６１の外周面には、径方向外側に向けて突出すると共に周方向に沿って延びる環状の突起６１ａが形成されている。下側ヘッド筒６０は、頂壁部６２の下面から下方に向かって延びると共に規制筒３１の内筒５１に螺着される螺着筒６３と、頂壁部６２の上面から上方に向かって延びる係合筒６４と、を有する。螺着筒６３の内周面には、規制筒３１の内筒５１に形成された雄ネジ部５６に螺着される雌ネジ部６８が形成されている。押下ヘッド７及びステム４は、雄ネジ部５６に対する雌ネジ部６８の螺着によって、下降端位置Ｐ１で保持されて上方移動が規制される。なお、螺着筒６３の下端開口縁と、規制筒３１の連結板５３の上面と、が当接または近接している。係合筒６４は、周壁部６１よりも小径に形成されている。係合筒６４には、上端開口縁から下方に向けて延びるスリット６５（規制部）が形成されている。
【００３４】
周壁部６１には、下方に向けて突出する円環状の上側ピルファープルーフ部６６（ピルファープルーフ部）が破断可能な弱化部６７を介して連結されている。上側ピルファープルーフ部６６は、周壁部６１よりも僅かに大径に形成されている。上側ピルファープルーフ部６６の下端開口縁は、下方に向けて開放されている。本実施形態では、上側ピルファープルーフ部６６の下端開口縁と、装着キャップ３の天壁部３ａの上面と、は上下方向に隙間をあけて対向している。
【００３５】
上側ピルファープルーフ部６６には、規制筒３１の張出部５７に係合することで上方に向けた移動が規制された係合部６６ａと、周方向の延在を分断する１つまたは複数の間欠部６６ｂと、が形成されている。係合部６６ａは、上側ピルファープルーフ部６６の内周面における下端部から径方向内側に向かって突出すると共に周方向に沿って延びている。係合部６６ａは、規制筒３１の張出部５７の下端に係止されている。
【００３６】
弱化部６７は、周方向に間隔をあけて複数配置されている。各弱化部６７は、周壁部６１の下端開口縁から下方に突出している。各弱化部６７は、上方から下方に向かうに従い径方向の幅が漸次狭くなるように形成されている。これにより弱化部６７は、その下端縁、すなわち上側ピルファープルーフ部６６との接続部において破断しやすくなっている。なお、弱化部６７を全周に亘って連続して延びる薄肉部等で形成してもよい。
【００３７】
上側ヘッド筒６９は、下側ヘッド筒６０の周壁部６１を径方向外側から囲繞する外側筒７０と、外側筒７０の上端部を塞ぐ平面視円形状の天壁７１と、天壁７１から下方に向けて延び、ステム４の上端に装着される装着筒部７２と、外側筒７０から径方向外側に突出するとともに内部が装着筒部７２内に連通し、先端に吐出孔６が形成されたノズル部７３と、外側筒７０の内周面と装着筒部７２の外周面とを連結する連結部７４（規制部）と、を有する有頂筒状に形成されている。
【００３８】
外側筒７０の内径は、上側ピルファープルーフ部６６の外径と略一致している。外側筒７０の下端開口縁は、上側ピルファープルーフ部６６の下端開口縁より上方に位置すると共に、弱化部６７より下方に位置している。換言すると、上側ピルファープルーフ部６６の下端部が外側筒７０から下方に突出し、弱化部６７が外側筒７０の下端開口縁より上方に位置している。外側筒７０の下端部の内周面は、上側ピルファープルーフ部６６の外周面に当接している。これにより、外側筒７０は、上側ピルファープルーフ部６６の径方向外側への変位を規制して、規制筒３１の張出部５７に対する係合部６６ａの係合が解除されることを防止している。
【００３９】
外側筒７０の内周面には、径方向内側に向かって突出すると共に周方向に沿って延びる環状の係合突部７０ａが形成されている。係合突部７０ａは、下側ヘッド筒６０の周壁部６１における突起６１ａの下端に係止されている。これにより、下側ヘッド筒６０と上側ヘッド筒６９とがアンダーカット嵌合されている。
【００４０】
連結部７４は、表裏面が周方向を向く平板状に形成されている。連結部７４は、下側ヘッド筒６０の係合筒６４のスリット６５内に配置されると共に、その下端が下側ヘッド筒６０の頂壁部６２の上面に当接または近接している。連結部７４は、スリット６５に差し込まれることにより、下側ヘッド筒６０及び上側ヘッド筒６９の周方向の相対的な回転移動が規制される。
【００４１】
このように構成された上側ヘッド筒６９は、下側ヘッド筒６０に対して上方から打栓等により組み合わされることで、下側ヘッド筒６０に一体に連結されている。なお、押下ヘッド７のポンプ５への組み付けは、下側ヘッド筒６０に上側ヘッド筒６９を組み合わせた後、下側ヘッド筒６０を規制筒３１に螺着させることにより組み付けてもよいし、下側ヘッド筒６０を規制筒３１に螺着させた後、上側ヘッド筒６９を下側ヘッド筒６０に組み合わせてもよい。
【００４２】
次に、上述のように構成された吐出容器１を使用する場合について説明する。
吐出容器１の使用を開始するにあたって、押下ヘッド７と規制筒３１との螺着を解除する。具体的に、下側ヘッド筒６０と規制筒３１との螺着を解除させるように、押下ヘッド７を規制筒３１に対して緩み方向に回転させる。すると、下側ヘッド筒６０が規制筒３１に対して上方移動する。ここで、下側ヘッド筒６０の周壁部６１には、規制筒３１の張出部５７に係合することで上方移動が規制された係合部６６ａが形成された上側ピルファープルーフ部６６が、破断可能な弱化部６７を介して連結されている。このため、下側ヘッド筒６０が上方移動することにより、弱化部６７が破断して上側ピルファープルーフ部６６が周壁部６１から分離する。その後引き続き、押下ヘッド７を規制筒３１に対して緩み方向に回転させることで、押下ヘッド７の規制筒３１に対する螺着が解除され、押下ヘッド７およびステム４を上昇させることができる。
【００４３】
以上により、押下ヘッド７の規制筒３１に対する回転操作だけで弱化部６７を破断して、押下ヘッド７と規制筒３１との螺着を解除することが可能になり、優れた操作性を具備させることができる。
【００４４】
しかも、弱化部６７を破断することで、上側ピルファープルーフ部６６が押下ヘッド７から落下することとなり、この吐出容器１の外観を当初と比べて変化させることが可能になる。このため、押下ヘッド７と規制筒３１との螺着が解除されたことがあるか否かを視認により容易に判別することができる。
【００４５】
また、上側ピルファープルーフ部６６には、周方向の延在を分断する間欠部６６ｂが形成されているので、弱化部６７を破断したときに、上側ピルファープルーフ部６６を押下ヘッド７の周壁部６１から確実に落下させることができる。また、落下した上側ピルファープルーフ部６６を吐出容器１から容易に除去することが可能となる。
なお、間欠部６６ｂが１つ形成されている場合には、周壁部６１から落下した上側ピルファープルーフ部６６が吐出容器１から自重により脱落することを防止でき、上側ピルファープルーフ部６６が飛散することを防止できる。これに対して間欠部６６ｂが複数形成されている場合には、周壁部６１から落下した上側ピルファープルーフ部６６を吐出容器１から自重により脱落させることができるので、上側ピルファープルーフ部６６の吐出容器１からの除去を容易に行わせたい場合に好適である。
【００４６】
また、上側ピルファープルーフ部６６の下端部が、上側ヘッド筒６９から下方に突出しているので、上側ピルファープルーフ部６６が上側ヘッド筒６９の外側から視認可能に設けられる。これにより、上側ピルファープルーフ部６６の押下ヘッド７からの落下の前後で吐出容器１の見た目を異ならせることが可能になり、押下ヘッド７と規制筒３１との螺着が解除されたことがあるか否かの判別をより確実に行うことができる。
【００４７】
また、弱化部６７は、上側ヘッド筒６９の下端開口縁より上方に位置しているので、破断後の弱化部６７を上側ヘッド筒６９により覆わせることが可能になり、押下ヘッド７と規制筒３１との螺着が解除された後の見栄えの悪化、及び破断後の弱化部６７に使用者が接触することを防止することができる。
【００４８】
なお、本実施形態では、上側ピルファープルーフ部６６には周方向の延在を分断する間欠部６６ｂが形成されているが、これに限定されない。上側ピルファープルーフ部は、周方向全周に亘って連続して延びていてもよい。
【００４９】
（第２実施形態）
次に、本発明に係る第２実施形態の吐出容器１０１について説明する。なお、この第２実施形態においては、第１実施形態における構成要素と同一の部分については、同一の符号を付しその説明を省略する。
【００５０】
図３に示すように、上側ピルファープルーフ部１６６は、周方向に等間隔で並ぶ複数の個片部１６６ｃにより形成されている。換言すると、上側ピルファープルーフ部１６６は、周方向に等間隔で設けられた複数の間欠部１６６ｂにより分断された状態で配置されている。各個片部１６６ｃは、破断可能な弱化部１６７を介して下側ヘッド筒６０の周壁部６１の下端開口縁に連結されている。各個片部１６６ｃは、規制筒３１の張出部５７に係合することで上方に向けた移動が規制された係合部１６６ａを有する。係合部１６６ａは、各個片部１６６ｃの内周面における下端部から径方向内側に向かって突出している。係合部１６６ａは、規制筒３１の張出部５７の下端に係止されている。
【００５１】
上側ヘッド筒６９が組み合される前の上側ピルファープルーフ部１６６は、図３中の二点鎖線で示すように、各個片部１６６ｃが周壁部６１から径方向外側に向かって延びるように、弱化部１６７を介して周壁部６１に連結されている。そして、上側ヘッド筒６９を下側ヘッド筒６０に対して上方から打栓等により組み合わせることにより、上側ヘッド筒６９の外側筒７０の下端開口縁が各個片部１６６ｃを下方に向けて押し下げる。これにより、各個片部１６６ｃは、弱化部１６７を支点として下方且つ径方向内側に向かって変位し、係合部１６６ａを規制筒３１の張出部５７に係止させる。このため、押下ヘッド１０７のポンプ５への組み付けは、下側ヘッド筒６０を規制筒３１に螺着させた後、上側ヘッド筒６９を下側ヘッド筒６０に組み合わせることにより行われる。
【００５２】
ここで、係合部１６６ａは、張出部５７に係止される際に、径方向外側から内側に向かって変位しながら張出部５７の下方に移動する。このため、第１実施形態のように係合部６６ａを張出部５７に係合させる際に、上側ピルファープルーフ部６６を軸方向に移動させて、係合部６６ａに張出部５７を乗り越えさせる構成と比較して、係合部１６６ａの突出長さを長くすることができる。したがって、係合部１６６ａと張出部５７とをより強固に係合させることができる。
【００５３】
このように構成された吐出容器１０１であっても、下側ヘッド筒６０には係合部１６６ａが形成された上側ピルファープルーフ部１６６が弱化部１６７を介して連結されているので、図２に示す第１実施形態の吐出容器１と同様に、押下ヘッド１０７の規制筒３１に対する回転操作だけで弱化部１６７を破断して、押下ヘッド１０７と規制筒３１との螺着を解除することが可能になり、優れた操作性を具備させることができる。
【００５４】
なお、本実施形態では、上側ピルファープルーフ部１６６の各個片部１６６ｃは、間欠部１６６ｂにより互いに独立して設けられているが、これに限定されない。図４に示すように、周方向に隣り合う各個片部１６６ｃは、連結体１６６ｄを介して互いに連結されていてもよい。なお、図４は、上側ヘッド筒６９を下側ヘッド筒６０に組み合わせる前の状態を示している。連結体１６６ｄは、各個片部１６６ｃにおける径方向内側の端部に接続されると共に、隣り合う各個片部１６６ｃの間を周方向に沿って延びている。連結体１６６ｄは、個片部１６６ｃよりも薄肉に形成されている。また、連結体１６６ｄは、例えば弱化部１６７よりも肉厚に形成されることにより、弱化部１６７の破断時において各個片部１６６ｃを連結した状態を維持できるようになっている。
【００５５】
このように構成された上側ピルファープルーフ部１６６では、上側ヘッド筒６９を下側ヘッド筒６０に組み合わせる際に、連結体１６６ｄが撓むように折り畳まれながら、各個片部１６６ｃが下方且つ径方向内側に向かって変位する。この際、連結体１６６ｄは、各個片部１６６ｃの間における径方向内側の位置に設けられているので、連結体が径方向外側の位置に設けられている構成と比較して、撓み変形しやすくなっている。そして、弱化部１６７を破断して上側ピルファープルーフ部１６６を分離すると、撓んだ連結体１６６ｄが復元することにより各個片部１６６ｃが上方且つ径方向外側に向かって変位する。これにより、上側ピルファープルーフ部１６６の押下ヘッド１０７からの落下の前後で、上側ピルファープルーフ部１６６の見た目が変化するので、押下ヘッド１０７と規制筒３１との螺着が解除されたことがあるか否かの判別をより確実に行うことができる。
【００５６】
また、周方向に隣り合う各個片部１６６ｃは、互いに連結されているので、弱化部１６７を破断して上側ピルファープルーフ部１６６を分離した際に、各個片部１６６ｃが飛散することを防止できる。ただし、この場合であっても、間欠部１６６ｂを少なくとも１つ設けることが望ましい。これにより、弱化部１６７を破断したときに、上側ピルファープルーフ部１６６を押下ヘッド１０７の周壁部６１から確実に落下させることができるとともに、落下した上側ピルファープルーフ部１６６を吐出容器１０１から容易に除去することが可能となる。しかも、上側ピルファープルーフ部１６６は、連結体１６６ｄを介して互いに連結された複数の個片部１６６ｃにより形成されているので、第１実施形態のように上側ピルファープルーフ部６６が周方向に一様に延びる構成と比較して、撓み変形させやすくなっている。よって、特に間欠部１６６ｂが１つ設けられた構成において、落下して容器本体に残存する上側ピルファープルーフ部１６６を容易に除去することができる。
【００５７】
なお、本発明は、図面を参照して説明した上述の実施形態に限定されるものではなく、その技術的範囲において様々な変形例が考えられる。
例えば、上記実施形態においては、上側ピルファープルーフ部６６，１６６の係合部６６ａ，１６６ａが規制筒３１に係合する構成とされているが、これに限定されず、容器本体２の口部２ａ、または装着キャップ３に係合する構成であってもよい。
【００５８】
また、上記実施形態においては、弱化部６７，１６７が上側ピルファープルーフ部６６，１６６との接続部において破断しやすくなっているが、これに限定されない。弱化部は、下側ヘッド筒６０の周壁部６１との接続部において破断しやすく形成され、上側ピルファープルーフ部６６，１６６とともに周壁部６１から分離する構成となっていてもよい。
【００５９】
また、上記実施形態においては、上側ピルファープルーフ部６６，１６６の下端部が外側筒７０から下方に突出するように形成されているが、これに限定されない。上側ピルファープルーフ部６６，１６６の全体が外側筒から下方に突出するように形成されていても上述した作用効果を奏することができる。また、上側ピルファープルーフ部６６，１６６の全体が外側筒に覆われるように形成されていてもよい。この場合には、上側ピルファープルーフ部６６，１６６の押下ヘッド７からの落下の前後で吐出容器の見た目を異ならせるために、押下ヘッド７から落下した上側ピルファープルーフ部６６，１６６が吐出容器から自重により脱落しないようにすることが望ましい。このためには、上側ピルファープルーフ部６６，１６６に間欠部６６ｂ，１６６ｂを１つだけ形成するか、または間欠部を形成しないことが望ましい。
【００６０】
その他、本発明の趣旨を逸脱しない範囲で、上記した実施の形態における構成要素を周知の構成要素に置き換えることは適宜可能である。
【符号の説明】
【００６１】
１，１０１…吐出容器  ２…容器本体  ２ａ…口部  ３…装着キャップ  ４…ステム  ６…吐出孔  ７，１０７…押下ヘッド  ３１…規制筒  ６０…下側ヘッド筒  ６１…周壁部  ６５…スリット（規制部）  ６６，１６６…上側ピルファープルーフ部（ピルファープルーフ部）  ６６ａ，１６６ａ…係合部  ６６ｂ，１６６ｂ…間欠部  ６７，１６７…弱化部  ６９…上側ヘッド筒  ７４…連結部（規制部）
【図１】
2018052595.tif 000003
【図２】
2018052595.tif 000004
【図３】
2018052595.tif 000005
【図４】
2018052595.tif 000006